(57)【要約】【課題】蓋内に着脱自在に装着した内蓋を有する炊飯器において、誰でも容易に確実に内蓋をセットできるようにする。【解決手段】炊飯器本体３１の上面開口部を蓋３３により開閉自在に覆い、炊飯器本体３１の後方に蓋３３を開閉自在に軸支するヒンジ軸３４を設け、蓋３３の内面に着脱自在に加熱板３７を装着する。加熱板３７は、蓋３３の外周内面に係合する係合部３７ｆを有するとともに、位置決めを行う少なくとも２個の突起３７ｅを内蓋３３外周の法線方向かつヒンジ軸３４方向に有し、蓋３３の外周内面には加熱板３７の外周の突起３７ｅに対向する位置に溝部３３ｂを設ける。【選択図】図１
2005168549.tif 000002
【特許請求の範囲】
【請求項１】
炊飯器本体と、前記炊飯器本体の上面開口部を開閉自在に覆う蓋と、前記炊飯器本体の後方に設け前記蓋を開閉自在に軸支するヒンジ軸と、前記蓋の内面に着脱自在に装着した内蓋とを備え、前記内蓋は、前記蓋の外周内面に係合する係合部を有するとともに、位置決めを行う少なくとも２個の突起を内蓋外周の法線方向かつヒンジ軸方向に有し、前記蓋の外周内面には前記内蓋外周の突起に対向する位置に溝部を設けた炊飯器。
【請求項２】
蓋の外周内面に設けた溝部の周囲に、溝部の底面積を広げるようリブを設けた請求項１記載の炊飯器。
【発明の詳細な説明】
【技術分野】
【０００１】
本発明は、蓋内に着脱自在に装着した内蓋を有する炊飯器に関するものである。
【背景技術】
【０００２】
従来、この種の炊飯器は図５および図６に示すように構成していた（例えば、特許文献１参照）。以下、その構成について説明する。
【０００３】
図５に示すように、炊飯器本体１は、鍋２を着脱自在に収納し、これら炊飯器本体１と鍋２の上面開口部は蓋３で開閉自在に覆っている。蓋３は炊飯器本体１の後方でヒンジ軸４により開閉自在に軸支し、ヒンジ軸４の略反対に位置する炊飯器本体１前方には、フックボタン５を介して、蓋２と係合する係合部６を設けている。ヒンジ軸４には蓋３を開蓋方向に力がかかるようにヒンジばね４ａを設けている。
【０００４】
外蓋３ａは蓋３の外面を覆うもので、外蓋カバー３ｂは外蓋３ａの鍋２側を覆うものである。外蓋カバー３ｂは、図６（ｂ）に示すように、内蓋を構成する加熱板７を係合する加熱板取付部３ｃを有している。また、加熱板７には前述の係合部６を設けている。また、加熱板７には、図６（ａ）に示すように、外蓋カバー３ｂと着脱する係合部７ｂおよび係合爪部７ｃを設けている。
【０００５】
上記構成において、蓋３には加熱板７を取り付けており、蓋３は加熱板７の前方に位置する係合部７ｂを介して炊飯器本体１の前方の係合部６を係合することで閉蓋されている。蓋３と炊飯器本体１の係合手段、すなわちフックボタン５の係合を解除すると、ヒンジばね４ａの力により蓋３は開蓋を開始し、ヒンジ軸４を中心に回動してほぼ直立状態に開蓋する。
【特許文献１】特開平１１−５６６１９号公報
【発明の開示】
【発明が解決しようとする課題】
【０００６】
しかしながら、このような従来の構成の炊飯器では、使用者が炊飯器本体１に対しほぼ直立する開蓋状態の蓋２の内面に加熱板７をセットしようとすると、外蓋カバー３ｂの先端に位置する加熱板取付部３ｃが使用者からは見えない位置にあり、加熱板７の係合部７ｂを宙に浮かしたような状態で係合させなければならず、こつや慣れを必要とし、不慣れな使用者には煩わしさを与えてしまうという問題があった。
【０００７】
本発明は上記従来の課題を解決するもので、誰でも容易に確実に内蓋をセットできるようにすることを目的としている。
【課題を解決するための手段】
【０００８】
本発明は上記目的を達成するために、炊飯器本体の上面開口部を蓋により開閉自在に覆い、炊飯器本体の後方に蓋を開閉自在に軸支するヒンジ軸を設け、蓋の内面に着脱自在に内蓋を装着し、内蓋は、蓋の外周内面に係合する係合部を有するとともに、位置決めを行う少なくとも２個の突起を内蓋外周の法線方向かつヒンジ軸方向に有し、前記蓋の外周内面には前記内蓋外周の突起に対向する位置に溝部を設けたものである。
【０００９】
これにより、ほぼ直立開蓋した状態の蓋の下部、すなわちヒンジ軸側に内蓋の外周方向に突出した突起を蓋の溝部に載置させた状態で安定的に位置決めし、内蓋の係合部を蓋の内面に容易に係合させることができ、誰でも容易に確実に内蓋をセットすることができる。
【発明の効果】
【００１０】
本発明の炊飯器は、ほぼ直立開蓋した状態の蓋の下部に内蓋の突起を蓋の溝部に載置させながら位置決めし、係合部を蓋の内面に係合させることにより、誰でも容易にかつ確実にセットを行うことができる。
【発明を実施するための最良の形態】
【００１１】
第１の発明は、炊飯器本体と、前記炊飯器本体の上面開口部を開閉自在に覆う蓋と、前記炊飯器本体の後方に設け前記蓋を開閉自在に軸支するヒンジ軸と、前記蓋の内面に着脱自在に装着した内蓋とを備え、前記内蓋は、前記蓋の外周内面に係合する係合部を有するとともに、位置決めを行う少なくとも２個の突起を内蓋外周の法線方向かつヒンジ軸方向に有し、前記蓋の外周内面には前記内蓋外周の突起に対向する位置に溝部を設けたものであり、直立開蓋した状態の蓋の下部、すなわちヒンジ軸側に内蓋の外周方向に突出した突起を蓋の溝部に載置させた状態で安定的に位置決めし、内蓋の係合部を蓋の内面に容易に係合させることができ、内蓋をこつや慣れを必要とせず、誰でも容易に確実にセットすることができる。
【００１２】
第２の発明は、上記第１の発明において、蓋の外周内面に設けた溝部の周囲に、溝部の底面積を広げるようリブを設けたものであり、溝部のフラット面がより大きくなり、内蓋の突起を溝部に載置しやすくなり、内蓋の位置決めをさらに容易にできて、誰でも容易に確実にセットすることができる。
【００１３】
以下、本発明の実施の形態について、図面を参照しながら説明する。なお、この実施の形態によって本発明が限定されるものではない。
【００１４】
（実施の形態１）
図１に示すように、炊飯器本体３１は、内部に米等の調理物を収容する鍋３２を着脱自在に収納し、鍋３２の上面開口部を蓋３３で覆っている。蓋３３はヒンジ軸３４により回動自在に炊飯器本体３１に軸支され、ヒンジばね３５により常に開蓋付勢力を与えられている。ヒンジ軸３４、ヒンジばね３５と略反対側位置に蓋３３と炊飯器本体３１を係合するフックボタン３６を設けている。フックボタン３６により炊飯器本体３１と蓋３３の係合を解除すると、図２に示すように、蓋３３はヒンジばね３５の付勢力により約９０度の開蓋状態に直立する。
【００１５】
蓋３３の内面には、内蓋を構成する加熱板３７を係合自在に取り付けている。この加熱板３７は、ステンレス鋼板の周囲に可塑性樹脂で形成した加熱板支え３７ｂを一体に設けており、加熱板支え３７ｂの外周部に、使用者が操作する際の掴み部を兼ねる蓋３３との係合爪部３７ｃと、炊飯器本体３１のフックボタン３６と係合するフック部３７ｄと、蓋３３との係合の際の位置決めとなる２個の突起３７ｅを外周の法線方向に設けている。
【００１６】
蓋３３の外周内面の前方先端に、図３に示すように、加熱板３７のフック部３７ｄの背面側に設けた凸形状の係合部３７ｆと係合する凹形状の加熱板取付部３３ａを設け、係合部３７ｆを加熱板取付部３３ａに係合して加熱板３７を蓋３３の内面に係合自在に取り付けるよう構成している。加熱板取付部３３ａの略反対方向、すなわち、ヒンジ軸３４側には、加熱板支え３７ｂの突起３７ｅと対向する位置に突起３７ｅと嵌合する２個の溝部３３ｂを設けている。
【００１７】
上記構成において作用を説明する。炊飯器本体３１と蓋３３の係合手段であるフックボタン３６により係合が解除されると、ヒンジばね３５の付勢力により開蓋され、蓋３３はヒンジ軸３４を回動中心として閉蓋状態から約９０度回転したほぼ直立状態となる。この状態で、蓋３３内面から加熱板３７を離脱して清掃等を行った後、再使用するために加熱板３７を蓋３３にセットする。
【００１８】
この際、使用者は加熱板支え３７ｂの係合爪部３７ｃを掴み、前方に位置するフック部３７ｄを蓋３３の前方先端にある加熱板取付部３３ａに合わせて蓋３３内面に係合するが、このとき、直立した蓋３３のヒンジ軸３４側の内面に設けた溝部３３ｂの端面に、加熱板支え３７ｂの２個の突起３７ｅを載置して位置決めし、これにより加熱板３７の係合部３７ｆを蓋３３の外周内面に設けた加熱板取付部３３に容易に係合させることができる。したがって、使用者はフック部３７ｄの先端を宙に浮かせたままで行うことなく、安定して蓋３３に加熱板３７をセットすることができる。
【００１９】
以上のように、本実施の形態においては、蓋３３の内面に加熱板３７を着脱自在に装着し、この加熱板３７は、蓋３３の外周内面に設けた加熱板取付部３３に係１する係合部３７ｆを有するとともに、位置決めを行う少なくとも２個の突起３７ｅを加熱板３７外周の法線方向かつヒンジ軸３４方向に有し、蓋３３の外周内面には加熱板３７外周の突起３７ｅに対向する位置に溝部３３ｂを設けたので、直立開蓋した状態の蓋３３の下部、すなわちヒンジ軸３４側に加熱板３７の外周方向に突出した突起３７ｅを蓋３３の溝部３３ｂに載置させた状態で安定的に位置決めし、加熱板３７の係合部３７ｆを蓋３３の外周内面に設けた加熱板取付部３３に容易に係合させることができ、加熱板３７をこつや慣れを必要とせず、誰でも容易に確実にセットすることができる。
【００２０】
（実施の形態２）
図４に示すように、蓋３３のヒンジ軸３４側の外周内面に、加熱板支え３７ｂの突起３７ｅと対向する位置に突起３７ｅと嵌合する溝部３３ｂを設けており、この溝部３３ｂの周囲に、溝部３３ｂの底面積を広げるようリブ３３ｃを設けている。他の構成は上記実施の形態１と同じである。
【００２１】
上記構成において作用を説明する。蓋３３内面から加熱板３７を離脱して清掃等を行った後、再使用するために加熱板３７を蓋３３にセットする際、溝部３３ｂの端面に、加熱板３７の突起３７ｅを載置して位置決めして、加熱板３７を蓋３３に係合させる。このとき、リブ３３ｃにより溝部３３ｂのフラット面がより大きくなり、加熱板３７の突起３７ｅを溝部３３ｂに載置しやすくなり、加熱板３７の位置決めをさらに容易にできる。
【００２２】
以上のように、本実施の形態においては、蓋３３の外周内面に設けた溝部３３ｂの周囲に、溝部３３ｂの底面積を広げるようリブ３３ｃを設けたので、溝部３３ｂのフラット面がより大きくなり、加熱板３７の突起３７ｅを溝部３３ｂに載置しやすくなり、加熱板３７の位置決めをさらに容易にできて、誰でも容易に確実にセットすることができる。
【００２３】
なお、上記各実施の形態では、蓋内に着脱自在に装着する内蓋として、ステンレス鋼板で構成した加熱板について説明したが、アルミニウム板で構成した放熱板であってもよく、同様の作用効果を得ることができる。
【産業上の利用可能性】
【００２４】
以上のように本発明にかかる炊飯器は、ほぼ直立開蓋した状態の蓋の下部に内蓋の突起を蓋の溝部に載置させながら位置決めし、係合部を蓋の内面に係合させることにより、誰でも容易にかつ確実にセットを行うことができるので、蓋内に着脱自在に装着した内蓋を有する炊飯器として有用である。
【図面の簡単な説明】
【００２５】
【図１】本発明の実施の形態１における炊飯器の断面図
【図２】同炊飯器の蓋を開けた状態の分解斜視図
【図３】同炊飯器の要部拡大断面図
【図４】本発明の実施の形態２における炊飯器の要部分解斜視図
【図５】従来の炊飯器の断面図
【図６】（ａ）従来の炊飯器の加熱板の斜視図（ｂ）同炊飯器の蓋の下面図
【符号の説明】
【００２６】
３１  炊飯器本体
３３  蓋
３３ｂ  溝部
３４  ヒンジ軸
３７  加熱板（内蓋）
３７ｅ  突起
３７ｆ  係合部
【図１】
2005168549.tif 000003
【図２】
2005168549.tif 000004
【図３】
2005168549.tif 000005
【図４】
2005168549.tif 000006
【図５】
2005168549.tif 000007
【図６】
2005168549.tif 000008